【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
取付器具を介して壁に取付可能なプロジェクターの制御方法であって、
前記プロジェクターが前記壁に取り付けられているか否かを判断し、
大気に含まれる油を検出し、
前記プロジェクターが前記壁に取り付けられていると判断する場合、前記大気に含まれる油の検出結果に基づいて、前記プロジェクターの取り付けに関する確認が必要であるか否かを判断し、
前記プロジェクターの取り付けに関する確認が必要であると判断する場合、前記プロジェクターの取り付けに関する確認を促す確認画像を表示面に表示する、
プロジェクターの制御方法。
【請求項２】
前記大気に含まれる油が検出されている第１累積時間を計測し、
前記プロジェクターが前記壁に取り付けられていると判断し、前記第１累積時間が第１時間を超えている場合、前記プロジェクターの取り付けに関する確認が必要であると判断する、
請求項１に記載のプロジェクターの制御方法。
【請求項３】
前記大気に含まれる油の前記大気中における濃度が一定値以上である第２累積時間を計測し、
前記プロジェクターが前記壁に取り付けられていると判断し、前記第２累積時間が第２時間を越えている場合、前記プロジェクターの取り付けに関する確認が必要であると判断する、
請求項１に記載のプロジェクターの制御方法。
【請求項４】
前記プロジェクターは、前記プロジェクターが前記取付器具を介して前記壁に取り付けられている状況において設定される取付モードを有し、
前記プロジェクターが前記取付モードになっている場合、前記プロジェクターが前記壁に取り付けられていると判断する、
請求項１から３のいずれか１項に記載のプロジェクターの制御方法。
【請求項５】
取付器具を介して壁に取付可能なプロジェクターであって、
画像を表示面に表示する表示部と、
大気に含まれる油を検出する油検出部と、
前記プロジェクターが前記壁に取り付けられているか否かを判断し、前記プロジェクターが前記壁に取り付けられていると判断する場合、前記油検出部の検出結果に基づいて、前記プロジェクターの取り付けに関する確認が必要であるか否かを判断する判断部と、
前記プロジェクターの取り付けに関する確認が必要であると判断される場合、前記表示部を制御することによって、前記プロジェクターの取り付けに関する確認を促す確認画像を前記表示面に表示させる制御部と、
を含むプロジェクター。
【手続補正２】
【補正対象書類名】明細書
【補正対象項目名】発明の名称
【補正方法】変更
【補正の内容】
【発明の名称】プロジェクターの制御方法およびプロジェクター
【手続補正３】
【補正対象書類名】明細書
【補正対象項目名】００１２
【補正方法】変更
【補正の内容】
【００１２】
取付器具３の構成は、適宜変更可能である。例えば、取付器具３は、第１取付部３ａと支持部３ｃとの角度を調整可能な構成でもよく、第２取付部３ｂと支持部３ｃとの角度を調整可能な構成でもよい。また、支持部３ｃが伸縮可能でもよい。また、支持部３ｃが折り曲げ可能でもよい。
【手続補正４】
【補正対象書類名】明細書
【補正対象項目名】００４６
【補正方法】変更
【補正の内容】
【００４６】
プロジェクター１が天井２に取り付けられていると判断されると、ステップＳ２０２において判断部１６４は、計測部１６３のカウントする第１累積時間が第１時間を超えているか否かを判断する。第１累積時間が第１時間を超えていない場合、図６に示す動作が終了する。
【手続補正５】
【補正対象書類名】明細書
【補正対象項目名】００４７
【補正方法】変更
【補正の内容】
【００４７】
ステップＳ２０２において第１累積時間が第１時間を超えている場合、ステップＳ２０３において判断部１６４は、取付器具３の確認が必要であると判断する。
【手続補正６】
【補正対象書類名】明細書
【補正対象項目名】００４９
【補正方法】変更
【補正の内容】
【００４９】
プロジェクター１が天井２に取り付けられており、第１累積時間が第１時間を超えており、かつ、光源１２３が点灯状態である場合、ステップＳ２０６において制御部１６５は、確認画像Ｇを示す画像情報を投射部１２に提供する。投射部１２は、確認画像Ｇを示す画像情報を受け取ると、確認画像Ｇを側壁５に投射する。
【手続補正７】
【補正対象書類名】明細書
【補正対象項目名】００５０
【補正方法】変更
【補正の内容】
【００５０】
Ａ６．第１実施形態についてのまとめ
本実施形態に係るプロジェクター１およびプロジェクター１の制御方法によれば、油検出部１４は、大気に含まれる油を検出する。判断部１６４は、プロジェクター１が天井２に取り付けられているか否かを判断し、プロジェクター１が天井２に取り付けられていると判断される場合、油検出部１４の検出結果に基づいて、プロジェクター１の取り付けに関する確認が必要であるか否かを判断する。制御部１６５は、プロジェクターの取り付けに関する確認が必要であると判断される場合、投射部１２を制御することによって、確認画像Ｇを側壁５に投射させる。
このため、取付器具３の全部または一部が、油の付着によって劣化する材料で構成されていても、プロジェクター１の取り付けに関する確認が必要である場合に、ユーザーに、プロジェクターの取り付けに関する確認を実行させることが可能になる。
また、プロジェクター１の筐体１ｄの全部または一部が、油の付着によって劣化する材料で構成されていても、プロジェクター１の取り付けに関する確認が必要である場合に、ユーザーに、プロジェクターの取り付けに関する確認を実行させることが可能になる。
【手続補正８】
【補正対象書類名】明細書
【補正対象項目名】００５４
【補正方法】変更
【補正の内容】
【００５４】
Ｂ１．第１変形例
第１実施形態において、計測部１６３は、油検出部１４の検出する大気中の油の濃度が、取付器具３の劣化に影響する濃度以上である時間の累積値を計測してもよい。以下、油検出部１４の検出する大気中の油の濃度が、取付器具３の劣化に影響する濃度以上である時間の累積値を「第２累積時間」と称する。取付器具３の劣化に影響する濃度は、一定値の一例である。
【手続補正９】
【補正対象書類名】明細書
【補正対象項目名】００５７
【補正方法】変更
【補正の内容】
【００５７】
第１変形例によれば、大気中の油の濃度が取付器具３およびプロジェクター１の筐体１ｄの劣化に影響する濃度以上である時間を示す第２累積時間に基づいて、プロジェクター１の取り付けに関する確認が必要であるか否かが判断される。このため、確認画像Ｇの投射タイミングを取付器具３およびプロジェクター１の筐体１ｄの劣化の程度に応じた適切なタイミングにできる。
【手続補正１０】
【補正対象書類名】明細書
【補正対象項目名】００５９
【補正方法】変更
【補正の内容】
【００５９】
Ｂ２．第２変形例
第１実施形態および第１変形例において、図６に示されるステップＳ２０４において光源点灯中、すなわち、投射部１２が画像を投射していると判断される場合においては、プロジェクター１を用いてプレゼンテーション等が行われている可能性がある。
プレゼンテーションが行われる状況において、確認画像Ｇが投射されることを望まないユーザーも存在し得る。
このため、第１実施形態および第１変形例において、判断部１６４は、プロジェクター１が天井２に取り付けられているか否かの判断を、プロジェクター１がスタンバイモードになっている期間にのみ実行してもよい。例えば、プロジェクター１がスタンバイモードになっている期間にのみ、図６に例示される動作が実行される。
第２変形例によれば、確認画像Ｇの望まれない投射を抑制可能になる。
【手続補正１１】
【補正対象書類名】明細書
【補正対象項目名】００６６
【補正方法】変更
【補正の内容】
【００６６】
Ｂ７．第７変形例
第１実施形態および第１変形例〜第６変形例において、操作部１１が、取付器具３を交換したことを示す操作入力を受け取る場合、制御部１６５は、計測部１６３をリセットしてもよい。
第７変形例によれば、取付器具３が交換されると、計測部１６３が示す第１累積時間または第２累積時間がリセットされる。このため、計測部１６３は、交換後の取付器具３が大気中の油にさらされている時間を計測可能になる。